【事件の表示】
　平成　８年　特　許　願　第１８２１２４号「施肥装置付き歩行型田植機」拒絶査定に対する審判事件（平成　８年１２月１７日出願公開、特開平　８−３３１９３０）について、次のとおり審決する。
【結論】
　本件審判の請求は、成り立たない。
【理由】
Ｉ．手続の経緯・本願発明
　本願は、昭和６３年１月２０日の出願である特願昭６３−１１７４１号の一部を、平成８年７月１１日に新たな特許出願としたものであり、特許を受けようとする発明（以下、「本願発明」という）は、平成９年８月２５日付け手続補正書で補正された明細書及び図面の記載からみて、特許請求の範囲に記載されたとおりの、
　「機体前部にエンジン３と主伝動ケース７を設け、該主伝動ケース７の左右両側部に車輪伝動ケース２４を回動自在に設けるとともに該車輪伝動ケース２４を後方に向けて延びるよう設け、該車輪伝動ケース２４の後端部側に左右それぞれ車輪１を設け、機体後部に操縦ハンドル２を突設し、前記車輪１の外周後端位置より後方で前記操縦ハンドル２の前側に位置し前部が低く後部が高く傾斜した苗タンク１９を設け、該苗タンク１９の下端部の前側近傍に苗植装置４と苗植伝動ケース５を設け、少なくとも前記エンジン３の上方を覆うボンネット１６を設けた歩行型田植機に、肥料ホッパ−１３と肥料繰出装置６とを備えた施肥装置を装着した施肥装置付き歩行型田植機において、前記車輪伝動ケース２４の回動部より前側に該車輪伝動ケース２４の昇降制御用の油圧作動装置２６を設けて前後方向において前記エンジン３と主伝動ケース７が設けられる機体前部側と苗植装置４と苗植伝動ケース５及び苗タンク１９が設けられる機体後部側との間で左右方向において左右の車輪１の間に施肥装置配置用の空間部を形成し、該空間部内に、前記施肥装置の肥料繰出装置６が前記ボンネット１６の最上部より低く位置するよう配設し、且つ、該肥料繰出装置６の上側に設けられる肥料ホッパ−１３の下部も前記ボンネット１６の最上部より低く位置するよう配設したことを特徴とする施肥装置付き歩行型田植機。」にある。
ＩＩ．引用例
　原査定の拒絶の理由に引用された実願昭６１−６９１３３号（実開昭６２−１８１１１９号）のマイクロフイルム（以下、「引用例１」という。）には、次の事項が記載されている。
「〔第１実施例〕
　以下、本考案の実施例を図面に基づいて説明する。
　第３図及び第４図に示すように、前部にエンジン（１）及び伝動ケース（２）を配設し、該伝動ケース（２）から後方に向けて、チェーン伝動機構（図示せず）を内装したフレーム（３）を設け、該フレーム（３）の後部に苗植付装置（４）を設け、フレーム（３）の後端から操縦ハンドル（５）を延設して機体（Ａ）を形成すると共に、前記伝動ケース（２）の左右側部に横向き軸芯周りで上下揺動するチェーンケース（６），（６）を後方に向けて片持ち状に設け、かつ、該チェーンケース（６），（６）の揺動端に走行車輪（７），（７）を設け、又、機体（Ａ）の下部に３つの整地フロート（８），（８），（８）を設けて歩行型水田作業機の一例として田植機を構成する。
　同図に示すように、前記苗植付装置（４）は、マット状苗（Ｗ）を載置する苗のせ台（４ａ）、２つの植付アーム（４ｂ），（４ｂ）等で２条用に構成されると共に、前記チェーン伝動機構からの動力で作動し、該チェーン伝動機構を内装するフレーム（３）は機体（Ａ）の左右方向の略中央に配設されている。
　又、左右の走行車輪（７），（７）は油圧シリンダ（９）の作動で昇降し、苗植付レベルを一定に維持するよう自動制御される（制御系は図示せず）。
　当該田植機では苗稙付作動と略同期して圃場に肥料を供給する施肥装置（Ｂ）が備えられている。
　つまり、施肥装置（Ｂ）は第２図に示すように同一機能の構造を２つ並設して２条用に製作され、１条分の構造は、粒状の肥料を貯留するホッパー（１０）、該ホッパー（１０）の下面に取付けた繰出し機構（１１）、繰出し機構（１１）からの肥料を送るホース（１２）、圃場面に溝を形成すると共に肥料を溝内に供給する作溝器（１３）で成っている。
　そして、前記ホッパー（１０）は前後方向視で走行車輪（７）とフレーム（３）との間に配設されると共に、側面視で機体（Ａ）に対して最も上昇したレベルに走行車輪（７）を位置させた状態では、第１図に示すようにホッパー（１０）が走行車輪（７）から上方に突出せず、又、走行車輪（７）を水田内の作業レベルに位置させた状態では、ホッパー（１０）が走行車輪（７）から上方に突出するように配設されている。」　（明細書５頁５行〜７頁１０行）
　当業者が図面（特に第５図）を参考にして上記記載をみると、引用例１には、機体前部にエンジン（１）と伝動ケース（２）を設け、該伝動ケース（２）の左右両側部にチェーンケース（６），（６）を回動自在に設けるとともに該チェーンケース（６），（６）を後方に向けて延びるよう設け、該チェーンケース（６），（６）の後端部側に左右それぞれ走行車輪（７），（７）を設け、機体後部に操縦ハンドル（５）を突設し、前記走行車輪（７），（７）の外周後端位置より後方で前記操縦ハンドル（５）の前側に位置し前部が低く後部が高く傾斜した苗のせ台（４ａ）を設け、該苗のせ台（４ａ）の下端部の前側近傍に苗植付装置（４）と苗植伝動ケースを設け、少なくとも前記エンジン（１）の上方を覆うボンネットを設けた歩行型田植機に、ホッパー（１０）と繰出し機構（１１）とを備えた施肥装置を装着した施肥装置付き歩行型田植機において、前記チェーンケース（６），（６）の回動部より後側に該チェーンケース（６），（６）の昇降制御用の油圧シリンダ（９）を設けて前後方向において前記エンジン（１）と伝動ケース（２）が設けられる機体前部側と苗植付装置（４）と苗植伝動ケース及び苗のせ台（４ａ）が設けられる機体後部側との間で左右方向において左右の走行車輪（７），（７）の間に施肥装置配置用の空間部を形成し、該空間部内に、前記施肥装置の繰出し機構（１１）が前記ボンネットの最上部より低く位置するよう配設し、且つ、該繰出し機構（１１）の上側に設けられるホッパー（１０）の下部も前記ボンネットの最上部より低く位置するよう配設した施肥装置付き歩行型田植機が記載されていると認められる。
ＩＩＩ．判断・判断
　本願発明と上記引用例１記載の発明とを比較すると、引用例１記載の発明の「伝動ケース（２）」、［チェーンケース（６），（６）」、「苗のせ台（４ａ）、「ホッパー（１０）」、「繰出し機構（１１）」及び「油圧シリンダ（９）」が、本願発明の「主伝動ケース７」、「車輪伝動ケース２４」、「苗タンク１９」、「肥料ホッパ−１３」、「肥料繰出装置６」及び「油圧作動装置２６」にそれぞれ相当しているので、両者は、機体前部にエンジンと主伝動ケースを設け、該主伝動ケースの左右両側部に車輪伝動ケースを回動自在に設けるとともに該車輪伝動ケースを後方に向けて延びるよう設け、該車輪伝動ケースの後端部側に左右それぞれ車輪を設け、機体後部に操縦ハンドルを突設し、前記車輪の外周後端位置より後方で前記操縦ハンドルの前側に位置し前部が低く後部が高く傾斜した苗タンクを設け、該苗タンクの下端部の前側近傍に苗植装置と苗植伝動ケースを設け、少なくとも前記エンジンの上方を覆うボンネットを設けた歩行型田植機に、肥料ホッパーと肥料繰出装置とを備えた施肥装置を装着した施肥装置付き歩行型田植機において、該車輪伝動ケースの昇降制御用の油圧作動装置を設けて前後方向において前記エンジンと主伝動ケースが設けられる機体前部側と苗植装置と苗植伝動ケース及び苗タンクが設けられる機体後部側との間で左右方向において左右の車輪の間に施肥装置配置用の空間部を形成し、該空間部内に、前記施肥装置の肥料繰出装置が前記ボンネットの最上部より低く位置するよう配設し、且つ、該肥料繰出装置の上側に設けられる肥料ホッパ一の下部も前記ボンネットの最上部より低く位置するよう配設した施肥装置付き歩行型田植機で一致し、
　車輪伝動ケースの昇降制御用の油圧作動装置を、本願発明が、「車輪伝動ケース２４の回動部より前側に設けて」いるのに対し、引用例１記載の発明は、車輪伝動ケースであるチェーンケース（６），（６）の回動部より後側に設けている点で相違している。
　上記相違点について検討するに、原査定の拒絶の理由に引用された特開昭６２−３２８０６号公報（以下、「引用例２」という。）には、「また、前記エンジン台３下面には、左右両車輸７，７を一斉に昇降させるための昇降用駆動手段である昇降用油圧シリンダ１５と機体６の左右の傾きを制御するためのローリング駆動手段であるローリング用油圧シリンダ１６を装着する。」（３頁左上欄７〜１２行）と記載されており、油圧シリンダ１５を左右両スイングアーム１８ａ，１８ｂの回動部より前側に設けることが記載されているので、引用例１記載の発明において、引用例２記載の構
成を適用し、油圧シリンダ（９）をチェーンケース（６），（６）の回動部より前側に設けて本願発明のような構成にすることは当業者なら容易にできることである。
　そして、本願発明の効果は、引用例１及び２記載の発明から予測できることであって格別のものではない。
ＩＶ．むすび
　したがって、本願発明は、引用例１及び２に記載された発明に基いて当業者が容易に発明をすることができたものと認められるから、特許法第２９条第２項の規定により特許を受けることができない。
　よって、結論のとおり審決する。